(57)【要約】【課題】電装機器を効率よく冷却することが可能な真空ポンプを提供する。【解決手段】ポンプ本体１１と、ポンプ本体１１の外側に配置された電装ケース３１とを備え、電装ケース３１は、鉛直部４０に内側面４６と外側面４７を有し内部に冷却媒体流路３８ａが形成された冷却ジャケット３６と、回路部品６２を備え冷却ジャケット３６による冷却が可能な複数の電装機器（３３、３４）と、を有し、内側面４６と外側面４７は、異なる方向に向けて形成され、内側面４６と外側面４７に電装機器部（３３、３４）の各々が熱移動可能に取り付けられている。【選択図】図１
2019143485.tif 000002
【特許請求の範囲】
【請求項１】
ポンプ本体と、前記ポンプ本体の外側に配置された制御装置とを備え、
前記制御装置は、
冷却面を有し内部に冷却媒体流路が形成された冷却部と、
発熱部品を備え前記冷却部による冷却が可能な複数の電装部品部と、を有し、
前記冷却面は、異なる方向に向けて複数形成され、複数の前記冷却面に前記複数の電装部品部の各々が熱移動可能に取り付けられていることを特徴とする真空ポンプ。
【請求項２】
前記複数の電装部品部は、前記発熱部品が実装されるとともに前記冷却面に固定された回路基板を有し、
前記複数の電装部品部の少なくとも１つには、前記回路基板及び前記発熱部品を少なくとも部分的に覆うモールド部が設けられていることを特徴とする請求項１に記載の真空ポンプ。
【請求項３】
前記制御装置は、前記冷却部によって複数の収容空間に区分けされ、各々の前記収容空間に前記複数の電装部品部の内の少なくとも一つを備えていることを特徴とする請求項１又は２に記載の真空ポンプ。
【請求項４】
冷却面を有し内部に冷却媒体流路が形成された冷却部と、
発熱部品を備え前記冷却部による冷却が可能な複数の電装部品部と、を有し、
前記冷却面が、異なる方向に向けて複数形成され、複数の前記冷却面に前記複数の電装部品部の各々が熱移動可能に取り付けられていることを特徴とする真空ポンプの制御装置。
【発明の詳細な説明】
【技術分野】
【０００１】
本発明は、例えばターボ分子ポンプ等の真空ポンプと真空ポンプの制御装置に関する。
【背景技術】
【０００２】
従来、後掲の特許文献１に開示されているようなターボ分子ポンプ装置が知られている。特許文献１のターボ分子ポンプ装置においては、段落００１０、図１、図２等に記載されているように冷却装置（１３）が設けられている。冷却装置（１３）は、ポンプ本体（１１）と電源装置（１４）との間に、軸方向に並べて介装され、電源装置（１４）内におけるモータ駆動回路の電子部品を主に冷却する。そして、この冷却装置（１３）は、内部に冷却水通路が形成されたジャケット本体（１３ａ）と、送水用のポンプにより冷却水通路に冷却水を循環させるための冷却水入口（１３ｂ）および冷却水出口（１３ｃ）とを有している。
【先行技術文献】
【特許文献】
【０００３】
【特許文献１】国際公開第２０１１／１１１２０９号公報
【発明の概要】
【発明が解決しようとする課題】
【０００４】
ところで、ターボ分子ポンプ等の真空ポンプにおいては、接続される真空機器の周辺スペースの事情などによって、小型化が必要となる場合がある。そして、モータ駆動回路や制御回路等の電装機器の小型化も必要となる場合があり、このような場合には、電装機器の実装密度が高まり、電装機器が温度上昇し易くなる。また、真空ポンプの高性能化によっても電装機器の実装密度が高まり、電装機器が温度上昇し易くなる。このため、例えば特許文献１に開示されたような冷却装置を用いる場合であっても、できるだけ効率良く冷却することが求められる。そして、効率の良い冷却により、電装機器の寿命を延ばすことが可能となる。さらに、水冷式の冷却装置は、冷却装置が接した部分や面した部分などの限られた範囲を冷却するのには適しているが、冷却装置の外形よりも広い範囲を冷却することは困難である。
【０００５】
また、冷却効果を高めるため、特許文献１に示されているような水冷に代え、例えば冷却ファンを用いた空冷を行うことも考えられる。しかし、冷却ファンを備えることで、その分真空ポンプの外形寸法が大となり、小型化が困難になる。また、冷却ファンを使用すると、発生した気流がクリーンルーム内で塵埃を舞い上がらせてしまい、清浄な環境を保ち難くなる場合がある。さらに、冷却ファンを使用した場合に、舞い上がる塵埃の排除のためエアコン（空気調和機）による排気を強化すると、総合的なエネルギ消費量がその分増えてしまう。これらのことから、ターボ分子ポンプ等の真空ポンプでは、効率の良い冷却のために空冷を採用することが難しく、水冷を採用することが望ましい。
【０００６】
本発明はこのような課題を解決するためになされたものであり、その目的とするところは、電装機器を効率よく冷却することが可能な真空ポンプと真空ポンプの制御装置を提供することにある。
【課題を解決するための手段】
【０００７】
上記目的を達成するために本発明は、ポンプ本体と、前記ポンプ本体の外側に配置された制御装置とを備え、
前記制御装置は、
冷却面を有し内部に冷却媒体流路が形成された冷却部と、
発熱部品を備え前記冷却部による冷却が可能な複数の電装部品部と、を有し、
前記冷却面は、異なる方向に向けて複数形成され、複数の前記冷却面に前記複数の電装部品部の各々が熱移動可能に取り付けられていることを特徴とする真空ポンプ。
【０００８】
また、上記目的を達成するために他の本発明は、前記複数の電装部品部は、前記発熱部品が実装されるとともに前記冷却面に固定された回路基板を有し、
前記複数の電装部品部の少なくとも１つには、前記回路基板及び前記発熱部品を少なくとも部分的に覆うモールド部が設けられていることを特徴とする真空ポンプにある。
【０００９】
また、上記目的を達成するために他の発明は、前記制御装置は、前記冷却部によって複数の収容空間に区分けされ、各々の前記収容空間に前記複数の電装部品部の内の少なくとも一つを備えていることを特徴とする真空ポンプにある。
【００１０】
また、上記目的を達成するために他の発明は、冷却面を有し内部に冷却媒体流路が形成された冷却部と、
発熱部品を備え前記冷却部による冷却が可能な複数の電装部品部と、を有し、
前記冷却面が、異なる方向に向けて複数形成され、複数の前記冷却面に前記複数の電装部品部の各々が熱移動可能に取り付けられていることを特徴とする真空ポンプの制御装置にある。
【発明の効果】
【００１１】
上記発明によれば、電装機器を効率よく冷却することが可能な真空ポンプと真空ポンプの制御装置を提供することができる。
【図面の簡単な説明】
【００１２】
【図１】（ａ）は本発明の一実施形態に係るターボ分子ポンプを概略的に示す断面図、（ｂ）電装ボックスを拡大して示す断面図である。
【図２】（ａ）は冷却ジャケットや電源回路部を概略的に示す斜視図、（ｂ）は冷却ジャケットの鉛直部と冷却管との位置関係を示す説明図である。
【発明を実施するための形態】
【００１３】
以下、本発明の一実施形態に係る真空ポンプについて、図面に基づき説明する。図１（ａ）は真空ポンプとしてのターボ分子ポンプ１０を縦断し、一部を省略して概略的に示している。このターボ分子ポンプ１０は、例えば、半導体製造装置、電子顕微鏡、質量分析装置などといった対象機器の真空チャンバ（図示略）に接続されるようになっている。
【００１４】
ターボ分子ポンプ１０は、円筒状のポンプ本体１１と、電装機器収容部（制御装置）としての箱状の電装ケース３１とを一体に備えている。これらのうちのポンプ本体１１は、図中の上側が対象機器の側に繋がる吸気部１２となっており、下側が補助ポンプ等に繋がる排気部１３となっている。そして、ターボ分子ポンプ１０は、図１（ａ）に示すような鉛直方向の垂直姿勢のほか、倒立姿勢や水平姿勢、傾斜姿勢でも用いることが可能となっている。
【００１５】
電装ケース３１は、ポンプ本体１１の側部である外周面に、径方向に突出するよう取り付けられている。このため、本実施形態のターボ分子ポンプ１０は、例えば前述の特許文献１に開示されたタイプのもののように、ポンプ本体と電装機器（電装部品）を軸方向（ガスの移送方向）に並べて配置した場合と比べて軸方向のコンパクト化が図られている。そして、本実施形態のターボ分子ポンプ１０は、軸方向の空間が比較的狭隘であっても、設置が可能である。
【００１６】
ポンプ本体１１は、段付きな円筒状の本体ケーシング１４を備えている。本実施形態においては、本体ケーシング１４の直径は３５０ｍｍ程度であり、高さは４００ｍｍ程度となっている。本体ケーシング１４内には、排気機構部１５と回転駆動部１６とが設けられている。これらのうち排気機構部１５は、ターボ分子ポンプ機構部１７とネジ溝ポンプ機構部１８とにより構成された複合型のものとなっている。
【００１７】
ターボ分子ポンプ機構部１７とネジ溝ポンプ機構部１８は、ポンプ本体１１の軸方向に連続するよう配置されており、図１（ａ）においては、図中の上側にターボ分子ポンプ機構部１７が配置され、図中の下側にネジ溝ポンプ機構部１８が配置されている。ターボ分子ポンプ機構部１７やネジ溝ポンプ機構部１８の基本構造としては、一般的なものを採用可能であるが、以下に基本構造について概略的に説明する。
【００１８】
図１（ａ）中の上側に配置されたターボ分子ポンプ機構部１７は、多数のタービンブレードによりガスの移送を行うものであり、所定の傾斜や曲面を有し放射状に形成された固定翼部１９と回転翼部２０とを備えている。ここで、ターボ分子ポンプ機構部１７において、固定翼（ステータ翼）と回転翼（ロータ翼）は十数段に亘って交互に並ぶよう配置されているが、図面が煩雑になるのを避けるため、固定翼と回転翼についての符号の記載は省略している。また、図１（ａ）では、同様に図面が煩雑になるのを避けるため、ポンプ本体１１における部品の断面を示すハッチングの記載も省略している。
【００１９】
固定翼部１９は、本体ケーシング１４に一体的に設けられており、固定翼部１９に備えられた上下の固定翼の間に、回転翼部２０に設けられた回転翼が入り込んでいる。回転翼部２０は、図１（ａ）中に上端部の輪郭のみを概略的に示す回転軸（ロータシャフト）２１に一体化されている。
【００２０】
この回転軸２１は、下側のネジ溝ポンプ機構部１８を通過して、同様に輪郭のみを概略的に示す前述の回転駆動部１６に連結されている。ネジ溝ポンプ機構部１８は、ロータ円筒部２３とネジステータ２４を備えており、ロータ円筒部２３とネジステータ２４の間に所定の隙間であるネジ溝部２５を形成している。ロータ円筒部２３は、回転軸２１に連結されており、回転軸２１と一体に回転できるようになっている。ネジ溝ポンプ機構部１８の後段には排気パイプに接続する為の排気口２６が配置されており、排気口２６の内部とネジ溝部２５が空間的に繋がっている。
【００２１】
回転駆動部１６はモータであり、図示は省略するが、回転軸２１の外周に形成された回転子と、回転子を取り囲むように配置された固定子とを有している。この回転駆動部１６を作動させるための電力の供給は、前述の電装ケース３１に収容された電源機器や制御機器により行われるようになっている。
【００２２】
回転軸２１の支持には、図示は省略するが、磁気浮上による非接触式の軸受（磁気軸受）が用いられている。このため、ポンプ本体１１においては、高速回転を行うにあたって摩耗がなく、寿命が長く、且つ、潤滑油を不要とした環境が実現されている。なお、磁気軸受として、ラジアル磁気軸受とスラスト軸受を組み合せたものを採用できる。さらに、磁気軸受に、万一の場合の損傷を防ぐタッチダウン軸受を組み合せて用いることも可能である。
【００２３】
回転駆動部１６が駆動されると、回転軸２１と一体となったターボ分子ポンプ機構部１７の回転翼部２０およびロータ円筒部２３が回転する。回転翼部２０の回転に伴い、図１（ａ）中の上側に示す吸気部１２からガスが吸引され、固定翼部１９の固定翼と回転翼部２０の回転翼とに気体分子を衝突させながら、ネジ溝ポンプ機構部１８の側へガスの移送が行われる。ネジ溝ポンプ機構部１８では、ターボ分子ポンプ機構部１７から移送されたガスを、ロータ円筒部２３とネジステータ２４との隙間に導入し、ネジ溝部２５内で圧縮する。そして、ネジ溝部２５内で圧縮されたガスは、排気部１３から排気口２６へ進入し、排気口２６を介してポンプ本体１１から排出される。
【００２４】
次に、前述の電装ケース３１について説明する。電装ケース３１は、図１（ｂ）に示すように、直方体状のボックスケーシング３２内に電装機器部（電装部品部）としての電源回路部３３と、同じく電装機器部としての制御回路部３４を収納している。ボックスケーシング３２は、コの字型に折り曲げられた板金製のケーシングパネル３５や、冷却部としての冷却ジャケット３６などを組み合わせ、互いに結合することにより構成されている。なお、図１（ａ）では、ケーシングパネル３５の両端部（紙面を貫く方向の両端部）を閉じる端部閉塞パネルを取り外して、電装ケース３１の内部が見えるようにしている。端部閉塞パネルとしては、例えば２つ（２枚）の矩形状のパネル部材を用いることなどが可能である。
【００２５】
冷却ジャケット３６は、ジャケット本体３７と冷却管３８を備えている。これらのうちジャケット本体３７は、略水平に向けられた第１水平部３９ａ、第２水平部３９ｂ、及び、略鉛直に向けられた鉛直部４０を一体に有する断面Ｔ字型の鋳造物である。冷却ジャケット３６の素材（鋳込み材）としては、アルミ等を採用することが可能である。一方の第１水平部３９ａは、鉛直部４０と繋がった基端側をポンプ本体１１の外側に向け、先端側を本体ケーシング１４の側に向けて延びている。また、他方の第２水平部３９ｂは、鉛直部４０と繋がった基端側を本体ケーシング１４の側に向け、先端側をポンプ本体１１の外側に向けて延びている。
【００２６】
さらに、第１水平部３９ａの先端側は、図２（ａ）に示すようにポンプ本体１１の外径に合わせ円弧状に切り欠かれており、円弧状の先端部４１に沿って、六角穴付きボルト４２（図１（ａ）に１つのみ図示する）を通過させるための複数の貫通孔４３が設けられている。そして、水平部３９の先端側は、図１（ａ）に示すように、本体ケーシング１４の下面４４に重なる様に配置され、複数の六角穴付きボルト４２により、ポンプ本体１１の下部フランジ４５に下方からボルト止めされている。
【００２７】
図２（ａ）に示すように鉛直部４０は、ポンプ本体１１の側を向いた冷却面としての内側面４６と、外側を向いた同じく冷却面としての外側面４７を有している。さらに、鉛直部４０は、電装ケース３１の内部空間を、収容空間としての第１収容空間３１ａと、同じく収容空間としての第２収容空間３１ｂとに仕切っている。そして、鉛直部４０の、第１収容空間３１ａに面した内側面４６には、前述の電源回路部３３が配置されている。また、鉛直部４０の、第２収容空間３１ｂに面した外側面４７には、前述の制御回路部３４が配置されている。電源回路部３３と制御回路部３４は、鉛直部４０に対して熱の移動が可能な状態で、ボルト締め等の手段により固定されているが、電源回路部３３や制御回路部３４については後述する。
【００２８】
ここで、電源回路部３３は、図１（ａ）、（ｂ）や図２（ａ）に示すようにモールド部としてのモールド樹脂７４により封止されているが、図１（ａ）ではモールド樹脂７４がハッチングを付して示されている。また、モールド樹脂７４は、図１（ｂ）では二点鎖線により示されており、図２（ａ）では実線により示されている。そして、電源回路部３３やモールド樹脂７４の具体的構成については後述する。なお、図１（ａ）、（ｂ）や図２（ａ）では、制御回路部３４も二点鎖線により囲って示されているが、この二点鎖線はモールド樹脂を示すものではなく、単に制御回路部３４の全体の領域を模式的に示しているものである。
【００２９】
図２（ａ）に示すように、冷却ジャケット３６の鉛直部４０には、前述の冷却管３８が挿入（インサート鋳造）されている。冷却管３８は、電装ケース３１の内部を冷却するためのものであり、外部から供給された冷却水(冷却媒体、冷媒)が内部の冷却媒体流路３８ａを通って循環するようになっている。冷却管３８の直径は例えば数ｍｍ程度であり、この冷却管３８材質としては、ステンレス鋼（ＳＵＳ）や銅などを採用することが可能である。
【００３０】
冷却管３８は、鉛直部４０の内部においてコの字型に曲がっており、互いに略水平且つ平行に伸びる平行部５０と、平行部５０を接続する鉛直な接続部５１を有している。ここで、本実施形態においては、冷却管３８の両端部５２、５３のうち、図２（ａ）中の下側（水平部３９の側）の端部５３が冷却水の入口となっており、上側の端部５２が冷却水の出口となっている。しかし、冷却水の流通方向はこれに限定されず、上側の端部５２を入口とし、下側の端部５３を出口としてもよい。また、図示は省略するが、冷却管３８の両端部５２、５３に管用の継手を接続し、この継手を介して冷却水の循環経路に接続することが可能である。
冷却部は、一般的には冷却管３８に流す冷却水により冷却されるが、冷却媒体（冷媒）は冷却水に限定されず、水以外の流体や冷却ガス等の他の冷媒であっても構わない。
【００３１】
図２（ｂ）は、冷却管３８と鉛直部４０の位置関係を示している。図中において、冷却管３８の軸心Ｃ１は、鉛直部４０の厚み方向の中心線Ｃ２上に位置している。そして、冷却管３８は、インサート鋳造により周方向の全体に亘り、鉛直部４０の素材（ここでは鋳込み材であるアルミ）に隙間なく密に接しながら、鉛直部４０により覆われている。
【００３２】
続いて、前述の電源回路部３３について、図２（ａ）に基づき説明する。図２（ａ）は、前述のモールド樹脂７４が形成された状態を示している。図２（ａ）に示すように、電源回路部３３は回路基板６１を備えており、回路基板６１にはポンプ本体１１を駆動するための回路部品（電気部品や電子部品）６２が実装されている。回路基板６１としては、一般的なエポキシ基板等を採用することが可能である。回路基板６１の鉛直部４０への固定は、例えば回路基板６１の４隅におけるボルト止めにより行われている。
【００３３】
また、回路部品６２としては、例えば、トランス、コイル、コンデンサ、フィルタ、ダイオード、ＦＥＴ（電界効果トランジスタ）等のようなものを挙げることができる。図２（ａ）は、図１（ａ）、（ｂ）に比べて回路部品６２の（図示略）を詳細に行っているものである。これらの回路部品６２は、その特性に応じて発熱部品となる。回路部品６２が発した熱は、回路基板６１やその周囲に移動し、周囲の温度を上昇させる。そして、回路基板６１に生じた熱の一部は、鉛直部４０との結合に用いられたボルト（図示略）や、後述するモールド樹脂７４を介して、冷却ジャケット３６の側へ移動する。
【００３４】
ここで、回路基板６１における各種の回路部品６２の実装にあたっては、その高さも考慮して回路部品６２の向き（「姿勢」ともいえる）が決められている。つまり、前述のように回路基板６１の背面側（ここでは非実装側）に冷却ジャケット３６が位置しているが、回路基板６１の実装側において回路部品６２の高さが高くなるほど、冷却ジャケット３６からの距離が遠くなる。そして、高さが大きい（所謂背の高い）回路部品６２を起立状態で実装すると、熱伝導や熱伝達による冷却ジャケット３６への熱の移動が生じ難く、電源回路部３３の冷却がされ難くなる。
【００３５】
このため、本実施形態では、必要な面積が確保できる部位については、回路部品６２を回路基板６１に寝かせた状態で搭載している。このように回路部品６２を寝かせた状態は、回路基板６１からの高さを低くできる状態であり、「倒伏状態」などと称することもできる。そして、回路部品６２を寝かせて、回路部品６２のより多くの部分が冷却ジャケット３６に近付くようにすることで、回路部品６２の冷却を効率よく行うことが可能である。
【００３６】
さらに、回路基板６１には、金属製の板金部材７１が複数実装されている。板金部材７１の固定は、板金部材７１を支持するための部材を回路基板６１上に設けたり、板金部材７１にビス留め用のリブを設けたりすることにより行うことが可能である。板金部材７１の材質としては、例えばアルミなどが用いられている。
【００３７】
板金部材７１には平板状のものやＬ字状のものなどがあり、回路基板６１から略垂直に立ち上がるように（起立姿勢となるように）、回路基板６１に固定されている。そして、板金部材７１は、その厚み方向を、回路基板６１の実装面が伸びる方向（回路基板６１の厚さ方向と直交する方向）に向けている。このような向きで板金部材７１を実装することで、回路基板６１の実装面において板金部材７１が占有する面積を最小化することができる。
【００３８】
さらに、板金部材７１は、回路部品６２の実装に利用可能なものとなっている。そして、板金部材７１の板面には、各種の回路部品６２のうち、ダイオードやその他の半導体素子のように温度上昇し易いものが固定されている。ここで、板金部材７１に固定された半導体素子のリード部（図示略）を、回路基板６１の配線に接続することで、半導体素子の導通を確保することが可能である。このように板金部材７１の板面上に回路部品６２を備えることで、回路基板６１において回路部品６２の実装が可能な面積を拡大することができる。
【００３９】
また、回路基板６１は、前述したようにモールド樹脂７４により封止されている。このモールド樹脂７４は、図２（ａ）に示すように直方体状に成形されており、回路基板６１の回路部品６２（ここでは板金部材７１を含む）に密に隙間が生じないように接触している。さらに、モールド樹脂７４は、回路基板６１の実装面を基準として所定の高さまで領域を覆っており、モールド樹脂７４からは、相対的に高さの高い電子部品の上端部分のみが突出している状態となる。本実施形態では、モールド樹脂７４としてエポキシ樹脂が用いられているが、これに限らず、例えばシリコンなどのような樹脂を用いてもよい。
【００４０】
モールド樹脂７４は、回路基板６１に係る絶縁性を高める機能、防滴の機能、防水の機能などを発揮するようになっている。また、モールド樹脂７４は、各種の回路部品や回路基板６１に接することで、電源回路部３３を冷却する機能を有している。つまり、モールド樹脂７４は、各種の回路部品や回路基板６１の熱を奪い回路基板６１の背面側へ移動させる。
【００４１】
続いて、前述の制御回路部３４について説明する。制御回路部３４は、ポンプ本体１１内に設けられたモータの駆動機構や磁気軸受の制御を行うためのものである。この制御回路部３４は、図１（ｂ）や図２（ａ）に示すように、冷却ジャケット３６における鉛直部４０の外側面４７に形成された第２収容空間３１ｂに配置されている。そして、制御回路部３４は、冷却ジャケット３６の外側面４７に結合されており、制御回路部３４で発生した熱の一部は、冷却ジャケット３６の側へ移動する。ここで、図２（ａ）では、制御回路部３４は、二点鎖線の直方体によって概略的に示されている。
【００４２】
さらに、本実施形態の制御回路部３４は、二段の積層構造を有しており、冷却ジャケット３６にボルト止めされる金属基板（ここでアルミ基板）８６と、金属基板８６上に導通可能に接続された樹脂基板（ガラスエポキシ基板など）８７とを備えている。そして、図示は省略するが、例えば樹脂基板８７には、回路部品８８のほかに、各種の標準規格に従ったコネクタなども実装されている。
【００４３】
本実施形態では、制御回路部３４の発熱が電源回路部３３に比べて少ないため、制御回路部３４については電源回路部３３のような樹脂封止は行われていない。しかし、必要に応じ、制御回路部３４を、コネクの接続端を除いて樹脂封止するようにしてもよい。
【００４４】
制御回路部３４で発生した熱は、鉛直部４０の外側面４７に結合された金属基板８６からの移動のほか、鉛直部４０に直接接触していない部分（樹脂基板８７など）からも、金属基板８６や、第２収容空間３１ｂ内の空間を経て鉛直部４０へ移動する。
【００４５】
以上説明したような本実施形態のターボ分子ポンプ１０によれば、電装ケース３１内に、冷却ジャケット３６の鉛直部４０を介して仕切られた第１収容空間３１ａ及び第２収容空間３１ｂが形成されている。冷却ジャケット３６においては、鉛直部４０の内側面４６と外側面４７のそれぞれに、電源回路部３３や制御回路部３４などの電装機器が取り付けられている。
【００４６】
したがって、異なる方向を向いた２つの冷却面（内側面４６と外側面４７）で電装機器（３３、３４）の熱を回収して、電装機器（３３、３４）の冷却を行うことができる。そして、冷却ジャケット３６により冷却できる面積を大とすることができ、より多くの電装機器を冷却することが可能となる。この結果、冷却ファンを用いることなく、効率の良い冷却を行うことが可能である。
【００４７】
また、冷却ファンを用いていないことから、ターボ分子ポンプ１０を小型化することができる。さらに、電装ケース３１の温度上昇を抑制でき、ターボ分子ポンプ１０の製品寿命を長期化することができる。また、効率良く冷却できることから、ターボ分子ポンプ１０の前段で、冷却水の温度をあまり下げておかなくてよい。
【００４８】
さらに、本実施形態においては、鉛直部４０の表裏である内側面４６と外側面４７で電装機器（３３、３４）を冷却しているので、冷却管３８を１つの平面内に配置するだけで複数面の冷却を行うことが可能である。そして、冷却管３８を立体的に複雑な形状で這わせることなく、広い面積の冷却を行うことができる。したがって、冷却管３８の曲げ方を複雑化することなく、複数の冷却面を形成できる。
【００４９】
なお、本発明は、冷却管３８の形状を上述の実施形態のような片仮名のコの字型に限定するものではなく、例えばアルファベットのＮやＭ等の文字形状や、その他の幾何学的な形状などとすることも可能である。さらに、冷却管３８は、平面的に形成されたものに限らず、立体的に曲げて形成されたものなどであってもよい。このように冷却管３８を立体的な形状に加工し、例えば鉛直部４０の厚みを増したり、鉛直部４０を多面化したりすることで、３面以上の冷却面を形成することも可能となる。
【００５０】
さらに、本実施形態のターボ分子ポンプ１０によれば、２面に分けて電装機器（３３、３４）を配置でき、電源回路部３３と制御回路部３４とを１面に集約的に取り付けた場合に比べて、鉛直部４０の長さ（図１（ｂ）における上下方向の長さ）を小とすることができる。この結果、鉛直部４０の長さ方向について、冷却ジャケット３６や電装ケース３１のコンパクト化が可能である。ここで、「鉛直部４０の長さ」は、例えば、鉛直部４０の高さと称することや、第１水平部３９ａや第２水平部３９ｂの厚み方向の長さと称することなどが可能である。
【００５１】
また、鋳造により冷却管３８を冷却ジャケット３６に組み込んでいるので、低コストで冷却管３８の外周面とジャケット本体３７とを密着させることができる。つまり、例えばジャケット本体３７をアルミ素材の削り出し加工により作製し、作製したジャケット本体３７に冷却管３８を後から固定するような場合には、ジャケット本体３７と冷却管３８の間に隙間が生じ易く、熱抵抗が高くなる。そして、効率の良い冷却を行うには、ジャケット本体３７と冷却管３８の間の隙間を埋めるために、熱伝導率の高い材質からなるシート等を介在させなければならず、その分コストが上昇する。しかし、本実施形態のように鋳造により冷却管３８の組み込みを行うことにより、低コストで、冷却管３８の外周面とジャケット本体３７とを密着させることができる。
【００５２】
また、本実施形態のターボ分子ポンプ１０によれば、モールド樹脂７４により電源回路部３３の封止を行っているので、モールド樹脂７４を介した熱の移動が可能である。そして、回路基板６１の背面側は、冷却ジャケット３６の鉛直部４０に面していることから、回路基板６１の実装面側で発生した熱を、モールド樹脂７４を介して冷却ジャケット３６の側へ移動させることができる。
【００５３】
また、本実施形態では、回路基板６１と冷却ジャケット３６の間にモールド樹脂７４を充填しているので、回路基板６１と冷却ジャケット３６の間の熱の移動を、モールド樹脂７４を介して行うことができる。このため、回路基板６１から冷却ジャケット３６までの間に空間を介在させた場合に比べて、熱を移動させ易い。
【００５４】
なお、このようなモールド樹脂７４を用いた冷却は、冷却ジャケット３６冷却の効果をより高めるものであるということができる。また、本実施形態のような冷却は、モールド樹脂７４による熱の移動と、冷却ジャケット３６による冷却とを複合させた冷却手法であるということもできる。さらに、本実施形態のような冷却は、電装ケース３１内の空間も冷却ジャケット３６により冷却されることから、空冷と水冷を複合させた冷却手法であるということもできる。
【００５５】
また、本発明は、これまでに説明した態様以外にも種々に変形することが可能なものである。
【符号の説明】
【００５６】
１０  ターボ分子ポンプ（真空ポンプ）
１１  ポンプ本体
３１  電装ケース（制御装置）
３１ａ  第１収容空間（収容空間）
３１ｂ  第２収容空間（収容空間）
３３  電源回路部（電装部品部）
３４  制御回路部（電装部品部）
３６  冷却ジャケット（冷却部）
３８  冷却管
３８ａ  冷却媒体流路
４０  鉛直部
４６  鉛直部の内側面（冷却面）
４７  鉛直部の外側面（冷却面）
５１  回路基板
６２  回路部品（発熱部品）
７４  モールド樹脂（モールド部）
【図１】
2019143485.tif 000003
【図２】
2019143485.tif 000004